(57)【特許請求の範囲】
【請求項１】
吊り下げ孔（５）を上端側に設けた台紙（２）を有し、
この台紙（２）の吊り下げ孔（５）より下部に、包装フィルム（４）で個装された商品（１）の背面（１ａ）側を両面接着テープ（３）で貼り付けており、
台紙（２）には、指先挿入可能な通孔（６）を商品（１）の背面（１ａ）のサイズ内に収まるよう設けてあり、
両面接着テープ（３）が、通孔（６）の周辺に位置設定されていることを特徴とする吊り下げ式のディスプレイパッケージ。
【請求項２】
吊り下げ孔（５）を上端側に設けた台紙（２）を有し、
この台紙（２）の吊り下げ孔（５）より下部に、包装フィルム（４）で個装された商品（１）の背面（１ａ）側を両面接着テープ（３）で貼り付けており、
台紙（２）には、指先挿入可能な通孔（６）を商品（１）の背面（１ａ）のサイズ内に収まるよう設けてあり、
通孔（６）が、両面接着テープ（３）の周囲に設けられていることを特徴とする吊り下げ式のディスプレイパッケージ。  
【発明の詳細な説明】
【０００１】
【発明の属する技術分野】
本発明は、テープカートリッジやディスクカートリッジなどの商品を吊り下げ陳列可能にしたディスプレイパッケージに関する。
【０００２】
【従来の技術】
この種のディスプレイパッケージとして、図５に示すごとくテープカートリッジやディスクカートリッジなどの商品１を包装フィルム４で個装し、これを台紙２の上に両面接着テープ３で貼り付けるだけにしておく、といった低コストで簡易な包装形態が採用されることがある。
【０００３】
【発明が解決しようとする課題】
このようなディスプレイパッケージでは、ブリスターパッケージのごとく商品１を台紙２上で覆う成形加工フィルムが省略されているため、商品１が台紙２から不測に脱落することのないように商品１の背面側が両面接着テープ３で強く貼り付けられている。このため、購買後、商品１を台紙２から剥がし取ることは容易でなかった。かと言って、商品１を手でつかみ包装フィルム４を破って台紙２から取り外そうとしても、台紙２が商品１より上方へ広く張り出しているため、これが邪魔になって商品１をつかみ難くし、包装フィルム４を破ることさえも困難であった。
【０００４】
そこで本発明の目的は、上記のような、個装された商品を台紙上に両面接着テープで貼り付けるというディスプレイパッケージにおいて、購買後、商品を台紙から容易に剥がし取れる、吊り下げ式のディスプレイパッケージを提供することにある。
【０００５】
【課題を解決するための手段】
本発明は、図２に示すごとく吊り下げ孔５を上端側に設けた台紙２を有し、この台紙２の吊り下げ孔５より下部に、包装フィルム４で個装された商品１を両面接着テープ３で貼り付けている吊り下げ式のディスプレイパッケージにおいて、台紙２に指先挿入可能な通孔６を商品１の背面１ａのサイズ内に収まるよう設けていることを特徴とする。
【０００６】
上記両面接着テープ３は通孔６の周辺に位置設定するか、または両面接着テープ３の周囲に通孔６を設ける。
【０００７】
【作用】
商品１を台紙２から取り外すには、台紙２の裏側から指先を通孔６内に入れて商品１の背面１ａ側を強く押圧すると、両面接着テープ３で貼り付けられた商品１の貼り付け部分が台紙２から剥がれ易くなる。その際、両面接着テープ３が通孔６の周辺に位置設定していると、指先による押圧荷重が商品１の貼り付け部全体に均等にかけられるため、商品１を台紙２から効果的に剥離できる。通孔６が両面接着テープ３の周囲に設けられている場合も、指先による押圧荷重を商品１の貼り付け部の全周に均等にかけることができて商品１を容易に剥離できる。
【０００８】
【発明の効果】
従って本発明によれば、台紙２の所定位置に指先挿入可能な通孔６を設けるという簡単な手段で、商品１を台紙２から容易に剥がし取ることができる。しかも、通孔６の存在によって商品１の剥離箇所が確認し易い。また台紙２に両面接着テープ３を貼り付ける時に、通孔６がその貼り付け位置の目印になるため、両面接着テープ３を所定位置に正確に貼り付けることができる。
【０００９】
【発明の実施の形態】
（第１実施例）
本発明に係るディスプレイパッケージの第１実施例を図１および図２に基づき説明する。図１は台紙上に商品を貼り付ける前の状態を示す斜視図、図２はその貼り付け後の状態を示す斜視図である。
【００１０】
図１において、このディスプレイパッケージは、テープカートリッジやディスクカートリッジ等の四角形の薄箱状の商品１と、商品１よりも大きい四角形の台紙２と、商品１を台紙２に貼り付けるのに用いる両面接着テープ３とを備える。商品１は、台紙２に貼り付けられる前に、予め包装フィルム４でシュリンク包装などで個装される。
【００１１】
台紙２は、店頭陳列に際し商品陳列棚のフックに引っ掛けられる吊り下げ孔５を上端側に設け、商品１が貼り付けられる下端寄り箇所には指先挿入可能な通孔６を設けている。両面接着テープ３は、商品１の貼り付けられる背面１ａの面積よりも小さい面積をもち、かつ前記通孔６と略同じ大きさの孔３ａをもつ四角形などに形成されている。
【００１２】
上記台紙２に商品１を貼り付けるには、図２に示すごとく台紙２に両面接着テープ３をこの孔３ａが通孔６と合致するように貼り付け、この両面接着テープ３の上に商品１の背面１ａの中央部付近を強く押さえ付ける。これにより商品１は台紙２に両面接着テープ３を介して強固に貼り付けられ、かつ背面１ａの中央付近が通孔６内に露出する状態となる。
【００１３】
このように構成されたディスプレイパッケージにおいて、購買後、商品１を台紙２から取り外すには、台紙２の裏面側から指先を通孔６内に入れて商品１の背面１ａの中央付近を強く押圧する。すると、指先による押圧荷重が商品１の貼り付け部全体に均等にかけられて商品１を台紙２から効果的に剥離することができる。
【００１４】
（第２実施例）
図３は第２実施例を示しており、この実施例では両面接着テープ３の孔３ａを切欠き円形状に形成している点が第１実施例の孔３ａの形状と異なるだけで、その他の構成は第１実施例の場合と同様である。
【００１５】
（第３実施例）
図４は第３実施例を示す。この実施例では指挿入可能とする通孔６が両面接着テープ３の周囲を囲む状態に設けられている点が第１実施例の場合と異なり、その他の構成は第１実施例の場合と同様である。
【００１６】
本発明は、個装した商品１を台紙２に両面接着テープ３で貼り付けた後、更に外装フィルム７（図２中、二点鎖線で示す）で商品１を台紙２に対しシュリンク包装またはブリスター包装するものにも適用できる。この場合は外装フィルム７を台紙２から取り外した後、前述した要領で商品１を台紙２から剥がし取ることになる。
【図面の簡単な説明】
【図１】第１実施例のディスプレイパッケージを、台紙上に商品を貼り付ける前の状態において示す斜視図である。
【図２】第１実施例のディスプレイパッケージを、台紙上に商品を貼り付けた後の状態において示す斜視図である。
【図３】第２実施例のディスプレイパッケージを図１に相応して示す斜視図である。
【図４】第３実施例のディスプレイパッケージを図１に相応して示す斜視図である。
【図５】従来例のディスプレイパッケージを図２に相応して示す斜視図である。
【符号の説明】
１  商品
２  台紙
３  両面接着テープ
４  包装フィルム
５  吊り下げ孔
６  通孔
【図１】
0003872588.tif 000002
【図２】
0003872588.tif 000003
【図３】
0003872588.tif 000004
【図４】
0003872588.tif 000005
【図５】
0003872588.tif 000006